(57)【特許請求の範囲】
【請求項１】
画像を表示する表示手段と、
前記表示手段への対面時に利用者の自画像を撮像可能な撮像手段と、
通信相手が使用する通信装置との間で、前記自画像を含む情報の送受を行う画像通信を可能にする画像通信手段と、
前記表示手段に表示される通信画像が、少なくとも前記通信相手の画像の表示部、前記利用者の自画像の表示部を含む各表示部以外の部分を、未使用の領域とした状態において、なされる前記画像通信の実行時に、前記表示手段を照明として機能させるために、前記未使用の領域の色調を調整する色調調整手段と、
を備える通信装置。
【請求項２】
前記色調調整手段は、前記画像の一部を白色に変化させる、
請求項１に記載の通信装置。
【請求項３】
通信相手が使用する通信装置との間で、利用者の自画像を含む情報の送受を行う画像通信が可能な通信装置の制御方法であって、
前記通信装置の表示手段に表示される通信画像が、少なくとも前記通信相手の画像の表示部、前記利用者の自画像の表示部を含む各表示部以外の部分を、未使用の領域とした状態において、なされる前記画像通信の実行時に、前記表示手段を照明として機能させるために、前記未使用の領域の色調を調整するステップ、
を備える通信装置の制御方法。
【請求項４】
前記画像の一部を白色に変化させる、
請求項３に記載の通信装置の制御方法。
【請求項５】
通信相手が使用する通信装置との間で、利用者の自画像を含む情報の送受を行う画像通信が可能な通信装置を制御するプログラムであって、前記通信装置に組み込まれるマイクロコントローラに、
前記通信装置の表示手段に表示される通信画像が、少なくとも前記通信相手の画像の表示部、前記利用者の自画像の表示部を含む各表示部以外の部分を、未使用の領域とした状態において、なされる前記画像通信の実行時に、前記表示手段を照明として機能させるために、前記未使用の領域の色調を調整する処理、
を実行させる通信装置の制御プログラム。
【請求項６】
前記画像の一部を白色に変化させる、
請求項５に記載の通信装置の制御プログラム。
【発明の詳細な説明】
【技術分野】
【０００１】
本発明は、通信装置に関し、特に利用者の自画像を含む情報の送受が可能な画像通信に有用な技術に関するものである。
【背景技術】
【０００２】
近年、携帯電話、パーソナルコンピュータ等の通信装置を用いて、通信相手の顔を見ながら通話、チャット等を可能にするシステムが利用されている。このようなシステムにおいては、通信中に利用者の自画像の画像情報を取得するカメラ等の手段が必要である。前記カメラが前記自画像を鮮明に撮影するためには、被写体である前記利用者を照らす十分な光量が必要である。この光量が不足していれば、前記自画像を鮮明に撮影することはできない。
【０００３】
特許文献１において、カメラ機能、テレビ電話機能、及びバックライト機能を備えた携帯電話であって、画面上に今回表示される画像データと次回表示される画像データとを比較し、この比較結果に基づいて前記バックライトの点灯及び消灯を制御する構成が開示されている。これにより、前記バックライトを必要な時にだけ点灯させ、画像を鮮明に表示することができるとされている。
【０００４】
特許文献２において、カメラ機能を備えた携帯電話であって、カメラ撮影時における照明（フラッシュ）用の光源として、有機ＥＬ素子からなる表示部を利用する構成が開示されている。これにより、発光ダイオード等の発光体を不要にすることができるとされている。
【先行技術文献】
【特許文献】
【０００５】
【特許文献１】特開２００３−２１９３２２号公報
【特許文献２】特開２００５−３３３５２１号公報
【発明の概要】
【発明が解決しようとする課題】
【０００６】
上記のような画像通信を行う際に、前記利用者周辺の光量が不足している場合には、室内の照明を点けたり、野外であれば明るい場所へ移動したりすることが必要となる。また、カメラ機能付き携帯電話を利用している場合であれば、フラッシュ機能のために備えられた発光ダイオード等の発光体を利用することが考えられるが、通常、このような発光体は、メインディスプレイの反対側の面に配置されているため、前記画像通信中に利用することは難しい。また、このような発光体が前記メインディスプレイ側に配置されている場合であっても、コスト、消費電力の増加が問題となる。
【０００７】
また、上記特許文献２に開示される構成においては、前記表示部を光源として使用する際に、有機ＥＬ素子に供給される電流量を増加させることが必要であるため、消費電力の増加が問題となる。また、カメラ（ビデオを含む）撮影時のみの使用が想定されているため、前記画像通信中に生ずる問題を解決することはできない。
【０００８】
そこで、本発明は、コスト、消費電力の増加を招くことなく、前記画像通信中における前記自画像の撮影のための光量を十分に確保できるようにすることを目的とする。
【課題を解決するための手段】
【０００９】
本発明の第１の態様は、画像を表示する表示手段と、前記表示手段への対面時に利用者の自画像を撮像可能な撮像手段と、通信相手が使用する通信装置との間で、前記自画像を含む情報の送受を行う画像通信を可能にする画像通信手段と、前記画像通信の実行時に、前記表示手段を照明として機能させるために、前記表示手段に表示される画像の色調を調整する色調調整手段とを備える通信装置である。
【００１０】
また、本発明の第２の態様は、通信相手が使用する通信装置との間で、利用者の自画像を含む情報の送受を行う画像通信が可能な通信装置の制御方法であって、前記画像通信の実行時に、前記撮像装置の表示手段を照明として機能させるために、前記表示手段に表示される画像の色調を調整するステップを備える通信装置の制御方法である。
【００１１】
また、本発明の第３の態様は、通信相手が使用する通信装置との間で、利用者の自画像を含む情報の送受を行う画像通信が可能な通信装置を制御するプログラムであって、前記通信装置に組み込まれるマイクロコントローラに、前記画像通信の実行時に、前記撮像装置の表示手段を照明として機能させるために、前記表示手段に表示される画像の色調を調整する処理を実行させる通信装置の制御プログラムである。
【発明の効果】
【００１２】
本発明によれば、前記画像通信の実行時に、前記表示手段に表示される画像の色調を変化させることにより、前記自画像の撮影のために前記利用者を照らす光量を増減させることができる。このような色調の変化は、ソフトウェア的な手法により可能であり、個別の発光体を必要としない。これにより、コスト、消費電力の増加を招くことなく、前記画像通信中おける前記光量を最適に調整することが可能となる。
【図面の簡単な説明】
【００１３】
【図１】本発明の実施の形態１に係る通信装置の機能的構成を示すブロック図である。
【図２】実施の形態１に係る通信装置の具体的構成を例示するブロック図である。
【図３】実施の形態１に係る通信装置の外観的構成を例示する図である。
【図４】実施の形態１に係る画像通信の実行中においてディスプレイに表示される通信画像を例示する図である。
【図５】実施の形態１に係る通信装置において行われる光量調整時の処理ルーチンを示すフローチャートである。
【発明を実施するための形態】
【００１４】
実施の形態１
図１は、本発明の実施の形態１に係る通信装置１の機能的構成を示している。前記通信装置１は、例えば携帯電話等に相当するものであり、表示手段２、撮像手段３、画像通信手段４、及び色調調整手段５を備えている。
【００１５】
前記表示手段２は、画像を含む各種情報を視認可能にするものである。前記表示手段２は、例えば携帯電話のディスプレイ、前記携帯電話に内蔵される制御ユニット等から構成することができる。前記制御ユニットは、例えばマイクロコントローラ、前記マイクロコントローラに各種処理を実行させる各種プログラム、各種論理回路の組み合わせ等から構成することができる。尚、前記マイクロコントローラとは、中央処理装置（ＣＰＵ）、記憶装置（ＲＯＭ，ＲＡＭ）、タイマ、入出力装置等から構成される集積回路である。
【００１６】
前記撮像手段３は、外部の映像を撮影するものであり、前記通信装置１の利用者が前記表示手段２に対面している時に、前記利用者の自画像を撮影することができるものである。前記撮像手段３は、例えば前記携帯電話に搭載され、前記制御ユニットにより制御されるカメラであって、前記ディスプレイと同じ面にレンズが配置されてなるものである。
【００１７】
前記画像通信手段４は、前記通信装置１と他の通信装置との間で、前記自画像を含む情報の送受を行う画像通信を可能にするものである。前記画像通信とは、例えば前記利用者と通信相手とが互いに顔の映像を見ながら通話する機能である。前記画像通信手段４は、前記表示手段２及び前記撮像手段３と協働すると共に、各種通信ネットワークを利用して、前記画像通信を実現する。
【００１８】
前記色調調整手段５は、前記画像通信の実行時に、前記表示手段２を照明として機能させるために、前記表示手段２に表示される画像の色調を調整するものである。例えば、前記利用者を照らす光量を増加させる場合には、前記画像の色調を白色側に変化させればよい。逆に、前記光量を減少させる場合には、前記画像の色調を黒色側に変化させればよい。上記のような色調の変化は、白色及び黒色に限られるものではなく、各色のバリエーションが許容されるものである。
【００１９】
上記構成の通信装置１によれば、前記画像通信の実行時に、前記表示手段２に表示される画像の色調を変化させることにより、前記利用者を照らす光量を増減させることができる。このような色調の変化は、ソフトウェア的な手法により可能であり、個別の発光体を必要としない。これにより、コスト、消費電力の増加を招くことなく、前記画像通信中おいて前記光量を最適に調整することが可能となる。
【００２０】
図２は、実施の形態１に係る通信装置１の具体的な構成を例示している。図３は、実施の形態１に係る通信装置１の外観的構成を例示している。本例に係る通信装置１は、携帯電話であり、入力部１１、スピーカ１２、マイク１３、カメラ１４、ディスプレイ１５、送受信部１６、及び制御部１７を備えている。
【００２１】
前記入力部１１は、前記利用者により操作されるボタン群等から構成される。前記入力部１１には、通話等を開始させるオフフックキー、通話等を終了させるオンフックキー、数字、文字、記号等を入力する入力キー、各種機能の呼び出し、選択等を実行するファンクションキー等が含まれる。前記入力部１１に加えられた操作は、電気信号に変換されて前記制御部１７に伝達される。
【００２２】
前記スピーカ１２は、前記制御部１７からの出力信号に応じて、音声、呼び出し音、アラーム音等を出力する。
【００２３】
前記マイク１３は、前記利用者の音声等の情報を電気信号に変換し、前記制御部１７に伝達する。
【００２４】
前記カメラ１４は、外部の映像を撮影するものであり、そのレンズが、筐体の前記ディスプレイ１５と同じ面に設けられている。前記レンズを通して取得された情報は、電気信号に変換されて前記制御部１７に伝達される。
【００２５】
前記ディスプレイ１５は、前記制御部１７からの出力信号に応じて画像を出力する。
【００２６】
前記送受信部１６は、アンテナ２０を介して受信した基地局等からの信号を増幅して前記制御部１７に出力すると共に、前記制御部１７の出力信号を増幅して前記アンテナ２０から出力する。
【００２７】
前記制御部１７は、前記マイクロコントローラ等を用いて構成され、各種制御演算処理を実行するものであり、入力判定部２１、通信制御部２２、状態監視部２３、及び画像処理部２４を備えている。
【００２８】
前記入力判定部２１は、前記入力部１１から入力される電気信号に基づいて、前記入力部１１に入力された操作を判定（識別）する。前記入力判定部２１による判定結果を示す信号は、前記状態監視部２３に入力される。
【００２９】
前記通信制御部２２は、前記送受信部１６により取得された外部からの電気信号を入力し、この入力結果に応じた信号を前記状態監視部２３に出力する。また、前記通信制御部２２は、前記状態監視部２３からの指令信号に応じて、外部に送信する送信信号を生成して前記送受信部１６に出力する。
【００３０】
前記状態監視部２３は、前記入力判定部２１からの入力信号、前記通信制御部２２からの入力信号、前記マイク１３からの入力信号、及び前記カメラ１４からの入力信号に応じて、各種処理を実行する。前記各種処理には、通常の通話処理、電子メールの送受信処理、カメラの撮像処理、各種アプリケーションの実行処理、前記画像通信の実行処理等が含まれる。前記状態監視部２３は、前記各種処理に適合した出力（指令）信号を生成し、これらの出力信号をそれぞれ適合する部（前記スピーカ１２、前記カメラ１４、前記通信制御部２２、又は前記画像処理部２４）に出力する。
【００３１】
前記画像処理部２４は、前記状態監視部２３からの入力信号に応じて、前記ディスプレイ１５に画像を形成するための信号を出力する。そして、本例に係る画像処理部２４は、前記ディスプレイ１５に表示された画像の色調を調整する機能を有し、この調整は、前記画像通信の実行時であって、前記入力部１１に所定の操作がなされた場合に実行される。具体的には、前記画像通信時において、前記利用者の周囲に光量が不足している場合に、前記利用者が前記入力部１１に所定の操作を加えることにより、前記ディスプレイ１５上の画像の色調が前記利用者の顔からの反射光を増加させる色調に変化する。前記反射光を増加させる色調としては、白色が好適である。逆に、前記反射光を減少させる場合には、黒色が好適である。
【００３２】
図４は、前記画像通信の実行時において前記ディスプレイ１５に表示される通信画像３０を例示している。前記通信画像３０には、前記通信相手の画像が表示される領域３１、前記利用者の自画像が表示される領域３２、前記通信装置１の設定内容、状態等を表示する領域３３、前記通信相手の電話番号等を表示する領域３４等が形成される。そして、前記通信画像３０内の前記各表示部３１〜３４以外の部分は、未使用領域（ハッチングで示す部分）３５となる。前記画像処理部２４は、上記のような光量の調整のために、前記未使用領域３５の色調を白色側又は黒色側に変化させる。
【００３３】
図５は、前記通信装置１において行われる光量調整時の処理ルーチンを例示している。このルーチンは、前記画像通信の実行時に実行される。先ず、前記利用者による光量調整要求があるか否かを判定する（Ｓ１０１）。この判定は、前記入力部１１に特定の操作がなされたか否かを監視することにより行うことができる。前記ステップＳ１０１において、要求がないと判定された場合（ＮＯ）には、このルーチンを終了し、要求があると判定された場合（ＹＥＳ）には、当該光量調整要求が光量を増加させる「明」要求であるか減少させる「暗」要求であるかを判定する（Ｓ１０２）。
【００３４】
前記ステップＳ１０２において、「明」要求であると判定された場合には、次いで前記未使用領域３５が白色であるか否かを判定する（Ｓ１０３）。前記ステップＳ１０３において、白色であると判定された場合（ＮＯ）には、前記ステップＳ１０１に戻り、白色ではないと判定された場合（ＹＥＳ）には、前記未使用領域３５の色調レベルを白色側へ移動させ（Ｓ１０４）、その後前記ステップＳ１０１に戻る。
【００３５】
前記ステップＳ１０２において、「暗」要求であると判定された場合には、次いで前記未使用領域３５が黒色であるか否かを判定する（Ｓ１０５）。前記ステップＳ１０５において、黒色であると判定された場合（ＮＯ）には、前記ステップＳ１０１に戻り、黒色ではないと判定された場合（ＹＥＳ）には、前記未使用領域３５の色調レベルを黒色側へ移動させ（Ｓ１０６）、その後前記ステップＳ１０１に戻る。
【００３６】
上記処理により、前記画像通信の実行時において、前記利用者が光量を増加させる要求を行った場合には、前記未使用領域３５の色調が白色側へ変化し、逆に前記光量を減少させる要求を行った場合には、前記色調が黒色側へ変化する。前記色調が白色側へ変化すると、前記ディスプレイ１５から発する光量が増加し、前記利用者の顔からの反射光が増加する。これにより、前記カメラ１４により撮影される前記自画像の鮮明度を上げることができる。一方、前記色調を黒色側へ変化させれば、前記自画像の鮮明度を下げることができる。
【００３７】
上記のように、本実施の形態に係る通信装置１によれば、前記ディスプレイ１５を照明装置として機能させることができるため、個別に発光体を設けることなく、暗所においても前記画像通信を行うことができる。また、ソフトウェア的な処理のみにより、上記のような照明機能を実現することができるため、コスト、消費電力の増加を防ぐことができる。
【００３８】
尚、本発明は、上記実施の形態に限られるものではなく、趣旨を逸脱しない範囲で適宜変更することが可能なものである。例えば、上記実施の形態においては、通信装置として携帯電話を例示したが、本発明はこれに限られるものではなく、パーソナルコンピュータ（可搬型、固定型を含む）、その他各種デバイスに適用可能なものである。
【符号の説明】
【００３９】
１  通信装置
２  表示手段
３  撮像手段
４  画像通信手段
５  色調調整手段
１１  入力部
１２  スピーカ
１３  マイク
１４  カメラ
１５  ディスプレイ
３０  通信画像
３５  未使用領域
【図１】
0005526741.tif 000002
【図２】
0005526741.tif 000003
【図３】
0005526741.tif 000004
【図４】
0005526741.tif 000005
【図５】
0005526741.tif 000006